(57)【要約】【課題】フラップ等の強度低下を抑えて、胴部が偏平に折り畳まれた状態を確実に維持することができる包装箱を提供する。【解決手段】筒状の胴部１９の長方形の開口が長辺フラップ７，８と短辺フラップ９，１０とで閉塞される包装箱１において、長辺フラップ７，８の先端部に、起こし自在の折起し片１７を設ける。一方の長辺フラップ８の折起し片１７を折り起こすことにより、折起し片１７の端縁と他方の長辺フラップ７の凹部１６の奥端縁とが互いに摩擦係合して胴部１９の折り畳み状態が維持される。【選択図】図４
0003190696.tif 000002
【実用新案登録請求の範囲】
【請求項１】
４つの角部を介して連なる４つの側板により形成されて長方形に開口する筒状の胴部と、該胴部の開口端縁のうち長辺となる端縁を有する第１側板に折目線を介して連設されて該第１側板に対し直角となるように胴部内側方向に折り曲げる一対の長辺フラップと、前記胴部の開口端縁のうち短辺となる端縁を有する第２側板に折目線を介して連設されて該第２側板に対し直角となるように胴部内側方向に折り曲げる一対の短辺フラップとを備え、該短辺フラップに把持孔が形成されており、該把持孔に対応する凹部が各長辺フラップの先端部に形成されている包装箱であって、
両長辺フラップ及び両短辺フラップを開いて前記胴部の対向する一対の角部を共に鋭角に曲げることにより該胴部を偏平に畳んだとき、両長辺フラップの一部同士が重合するものにおいて、
前記長辺フラップの先端部に形成したＬ字形の切れ目により、長辺フラップの折り曲げ方向に交差する方向に折り起こし自在とされた折起し片を設け、
一方の長辺フラップの前記折起し片を折り起こすことにより、該折起し片の第１側板側の端縁と他方の長辺フラップの前記凹部の奥端縁とが互いに摩擦係合して胴部の折り畳み状態が維持されることを特徴とする包装箱。
【請求項２】
前記短辺フラップの先端角部に、該短辺フラップの先端縁から側端縁に至る折目線を介して折り曲げ自在の摘み片を設け、前記短辺フラップは、その先端角部の前記摘み片以外の位置で前記長辺フラップの外面に接着されることを特徴とする請求項１記載の包装箱。
【請求項３】
前記第２側板は、破断することにより胴部の一部を開口させる破断開口部を備え、
該破断開口部は、前記第２側板の一側縁側の一部を破断する第１破断可能部と、該第１破断可能部の一部に接して前記第２側板の他側縁側の一部を破断する第２破断可能部とによって構成されることを特徴とする請求項１又は２記載の包装箱。
【考案の詳細な説明】
【技術分野】
【０００１】
本考案は、包装箱に関する。
【背景技術】
【０００２】
従来、段ボール板紙等で形成された直方体形状の包装箱は、被包装物を取り出した後にリサイクル或いは廃棄するために、偏平に折り畳むことが行われる。具体的には、包装箱の上下のフラップを開いて四角筒状の胴部の一方の対角線上に対向する両角部を鋭角に折り曲げることにより、胴部の側壁を重ねるようにして偏平に畳み込む。
【０００３】
しかし、包装箱が段ボール板紙等の曲げこわさの比較的大きい材料で形成されている場合には、復元力が作用して胴部の側壁を重ねた状態から浮き上がりやすく、偏平に折り畳んだ状態が維持されないことがある。このため、使用後に偏平に畳んだ複数の包装箱を積み重ねた状態で保管や移動を行うときに、安定した積み重ね状態が得られず、取り扱いが煩わしいという不都合がある。
【０００４】
そこで、従来、胴部の上縁に連接されているフラップを用いて胴部を偏平に畳んだ状態を維持するようにした包装箱が知られている（下記特許文献１参照）。
【０００５】
この包装箱は、平面視長方形状の胴部の上縁のうち、短辺となる一対の上縁に内フラップが連設され、長辺となる一対の上縁に外フラップが連設されている。一方の外フラップには、その先端から基端に向かって切込みを設けることにより係止片が形成されている。そして、胴部を偏平に畳んだとき、他方の外フラップの側端部を切込みに差し込み、係止片を他方の外フラップの側端部とこの外フラップに隣合う内フラップとの間の隙間で互い違いに係止させ、胴部を折り畳んだ状態を維持させるようになっている。
【先行技術文献】
【特許文献】
【０００６】
【特許文献１】特開２００３−１７０９２５号公報
【考案の概要】
【考案が解決しようとする課題】
【０００７】
しかし、前記係止片を形成するための切込みは、一方の外フラップの先端から基端に亘って設けられているため、他方の外フラップの側端部を切込んでも、その係止力は極めて小さい。そして、畳んだときに鋭角に折り曲げられた胴部の角部の復元力が大きく、胴部の側壁が重なった状態から浮き上がると、両外フラップが胴部が浮き上がる方向に抵抗なく折れ曲がり、それに伴って外フラップ同士の係合が解除されてしまうことがある。
【０００８】
また、外フラップにその先端から基端にかけて切込みを形成すると外フラップの強度が低下するおそれもある。
【０００９】
上記の点に鑑み、本考案は、フラップ等の強度低下を抑えて、胴部が偏平に折り畳まれた状態を確実に維持することができる包装箱を提供することを目的とする。
【課題を解決するための手段】
【００１０】
本考案は、４つの角部を介して連なる４つの側板により形成されて長方形に開口する筒状の胴部と、該胴部の開口端縁のうち長辺となる端縁を有する第１側板に折目線を介して連設されて該第１側板に対し直角となるように胴部内側方向に折り曲げる一対の長辺フラップと、前記胴部の開口端縁のうち短辺となる端縁を有する第２側板に折目線を介して連設されて該第２側板に対し直角となるように胴部内側方向に折り曲げる一対の短辺フラップとを備え、該短辺フラップに把持孔が形成されており、該把持孔に対応する凹部が各長辺フラップの先端部に形成されている包装箱であって、両長辺フラップ及び両短辺フラップを開いて前記胴部の対向する一対の角部を共に鋭角に曲げることにより該胴部を偏平に畳んだとき、両長辺フラップの一部同士が重合するものにおいて、前記長辺フラップの先端部に形成したＬ字形の切れ目により、長辺フラップの折り曲げ方向に交差する方向に折り起こし自在とされた折起し片を設け、一方の長辺フラップの前記折起し片を折り起こすことにより、該折起し片の第１側板側の端縁と他方の長辺フラップの前記凹部の奥端縁とが互いに摩擦係合して胴部の折り畳み状態が維持されることを特徴とする。
【００１１】
本考案によれば、長辺フラップの先端部に折起し片を設け、胴部が偏平に畳まれて両長辺フラップの一部同士が重合したとき、一方の長辺フラップの折起し片を折り起こすことで、折起し片の端縁を他方の長辺フラップの凹部の奥端縁に摩擦係合するので、胴部を偏平に折り畳んだ状態を確実に維持させることができる。
【００１２】
そして、この折起し片を形成するＬ字形の切れ目は、比較的小さな領域である長辺フラップの先端部に設けられているので、長辺フラップの強度は殆ど低下しない。
【００１３】
また、本考案においては、前記短辺フラップの先端角部に、該短辺フラップの先端縁から側端縁に至る折目線を介して折り曲げ自在の摘み片を設け、前記短辺フラップは、その先端角部の前記摘み片以外の位置で前記長辺フラップの外面に接着されることが好ましい。
【００１４】
これによれば、短辺フラップが長辺フラップに接着されて胴部を閉塞していても、胴部を偏平に折り畳むときに、摘み片を摘んで短辺フラップを長辺フラップから剥離させることができ、胴部の折り畳み作業が容易となる。
【００１５】
そして、本考案は、前記第２側板は、破断することにより胴部の一部を開口させる破断開口部を備え、該破断開口部は、前記第２側板の一側縁側の一部を破断する第１破断可能部と、該第１破断可能部の一部に接して前記第２側板の他側縁側の一部を破断する第２破断可能部とによって構成される包装箱に工程に採用することができる。
【図面の簡単な説明】
【００１６】
【図１】本考案の包装箱の一実施形態を示す斜視図。
【図２】図１の包装箱の展開図。
【図３】図１の包装箱の開封状態を示す斜視図。
【図４】本実施形態の包装箱の折り畳み状態を示す斜視図。
【図５】図４の要部の拡大図。
【考案を実施するための形態】
【００１７】
本考案の一実施形態を図面に基づいて説明する。本実施形態の包装箱１は、図１に示すように、外観が直方体状に形成され、内部に図示しない複数の被包装物（例えば、ＰＥＴボトル入り飲料等）が収納されている。
【００１８】
包装箱１は、所謂ラップアラウンドケースであり、図２に示すように、大略矩形状に打抜いて形成された段ボール板紙２により組立てられる。
【００１９】
段ボール板紙２は、底板３と、底板３の前側縁に折目線ａを介して連設された前側板４と、底板３の後側縁に折目線ｂを介して連設された後側板５と、前側板４の先端縁に折目線ｃを介して連設された天板６とを備えている。
【００２０】
前側板４と後側板５とは同一形状に形成されている。底板３と天板６とは同一形状に形成されている。そして、底板３及び天板６の大きさは、前側板４及び後側板５よりも小さい形状となっている。
【００２１】
前側板４及び後側板５は本考案の第１側板に相当し、底板３及び天板６は本考案の第２側板に相当する。
【００２２】
前側板４と後側板５との夫々の左右側縁には、折目線ｄ，ｅを介して一対ずつ内フラップ７,８が連設されており、底板３と天板６との夫々の左右側縁には、折目線ｆ，ｇを介して一対ずつ外フラップ９,１０が連設されている。
【００２３】
内フラップ７,８は本考案の長辺フラップに相当し、外フラップ９,１０は本考案の短辺フラップに相当する。
【００２４】
天板６には、被包装物を取り出す際に開封される破断開口部１１が形成されている。破断開口部１１は、第１破断可能部１２と第２破断可能部１３とによって構成される。
【００２５】
第１破断可能部１２は、３つの破断可能線ｈ１，ｈ２，ｈ３により天板６から遊離可能に形成されている。第１破断可能部１２を形成する３つの破断可能線ｈ１，ｈ２，ｈ３のうち、折目線ｃに沿った方向に延びる１つの破断可能線ｈ３は、波形状に形成されている。
【００２６】
第２破断可能部１３は、第１破断可能部１２を形成する波形状の破断可能線ｈ３を共通とし、折目線ｇの夫々の延長線に一致する２つの破断可能線ｈ４，ｈ５と、両破断可能線ｈ４，ｈ５から波形状の破断可能線ｈ３に連なる２つの破断可能線ｈ６，ｈ７とにより天板６から分離可能に形成されている。
【００２７】
外フラップ９,１０の先端角部には、折目線ｉを介して三角形状の摘み片１４が形成されている。更に、天板６に連設されている外フラップ１０には、把持孔１５（図３参照）を形成するために外フラップ１０の中央部分を遊離させる切れ目ｊが設けられている。
【００２８】
また、内フラップ７,８には、把持孔１５（図３参照）に対応して切欠き形成された凹部１６が設けられている。更に、内フラップ７,８には、その先端部に形成された切れ目ｋにより、内フラップ７,８から折り起こし自在となる折起し片１７が設けられている。
【００２９】
折起し片１７を形成する切れ目ｋは、内フラップ７,８の先端縁に対して直交する方向に延びる部分と内フラップ７,８の先端縁に平行に延びる部分とでＬ字形状に形成されている。そして、後述するように包装箱１を扁平に折り畳んだことにより内フラップ７と内フラップ８とが重合したとき、折起し片１７は、凹部１６に対応する位置に設けられている。
【００３０】
また、後側板５の先端縁には、天板６に接着される接着片１８が折目線ｎを介して連設されている。
【００３１】
以上の構成による図２示の段ボール板紙２から図１示の包装箱１を形成するときには、図２示の段ボール板紙２の状態で、その底板３上に図示しない複数の被包装物が整列して載置され、先ず、前側板４及び後側板５が夫々折目線ａ，ｂを介して起立される。
【００３２】
次いで、両側板４，５の両側の各内フラップ７，８が夫々折目線ｄ，ｅを介して底板３の両側縁に沿って折り曲げられる。そして、底板３の両側に連設された外フラップ９が折目線ｆを介して起立されると共に、各内フラップ７，８の外面に接着剤を介して接着される。このとき、外フラップ９の先端角部には接着剤を塗布せず、摘み片１４が摘み可能な状態としておく。
【００３３】
続いて、天板６が折目線ｃを介して水平に折り曲げられる。次いで、接着片１８が天板６の内面に接着剤を介して接着される。そして、天板６の両側に連設された外フラップ１０が折目線ｇを介して下方に折り曲げられると共に、各内フラップ７，８の外面に接着剤を介して接着される。
【００３４】
これにより、底板３、前側板４、後側板５及び天板６による四角筒状の胴部１９（図１参照）の内部に被包装物が収容され、胴部１９の左右が内フラップ７，８と外フラップ９,１０とで閉塞されて、包装箱１が形成される。
【００３５】
また、図１に示すように、包装箱１が形成されたとき、内フラップ７，８に設けられている折起し片１７の切れ目ｋが外フラップ９,１０によって覆われる。これによれば、折起し片１７の切れ目ｋを設けたことによる内フラップ７，８の強度低下を確実に防止することができる。
【００３６】
次に、包装箱１の開梱作業を説明する。図１を参照して、先ず、第１破断可能部１２を包装箱１の内側に向かって押圧して破断可能線ｈ１，ｈ２，ｈ３を破断し、天板６から遊離させる。これにより、破断可能線ｈ３に接する第２破断可能部１３の破断端縁が露出する。
【００３７】
次いで、第２破断可能部１３を上方に引き上げ、破断可能線ｈ６，ｈ７から破断可能線ｈ４，ｈ５に沿って破断する。これにより、図３に示すように、第２破断可能部１３が天板６から遊離して胴部１９の上部が開放され、被包装物の取出しが行なえる状態に開梱される。
【００３８】
次に、被包装物を取出した後の包装箱１の解体折り畳み作業を説明する。図３に示す状態から、先ず、外フラップ９,１０の先端角部の摘み片１４を摘んで、外フラップ９,１０を内フラップ７，８の外面から外方に引き剥がす。外フラップ９,１０に摘み片１４を設けたことにより、内フラップ７，８から外フラップ９,１０を分離させる作業が容易となる。
【００３９】
次いで、外フラップ９,１０を開き、四角筒状の胴部１９の一方の対角線上に対向する両角部を鋭角に折り曲げることにより、図４に示すように、包装箱１は、偏平に折り畳まれる。このとき、本実施形態の包装箱１は、開梱された状態で第２破断可能部１３が天板６から分離して容易にシート状にすることができるので、扁平に折り畳む作業が極めて円滑に行える。
【００４０】
その後、図４及び図５に示すように、内フラップ７の凹部１６に対応して位置する内フラップ８の折起し片１７を、内フラップ７の凹部１６に入る方向に折り起こす。このとき、折起し片１７の折り起こし方向は、胴部１９を閉塞する際の内フラップ８の折り曲げ方向に交差する方向となる。
【００４１】
こうすることにより、図５に示すように、折起し片１７の端縁１７ａが内フラップ７の凹部１６の奥端縁１６ａに摩擦係合し、図４に示すように、包装箱１の偏平に折り畳まれた状態が強固に維持される。
【符号の説明】
【００４２】
１…包装箱、３…底板（第２側板）、４…前側板（第１側板）、５…後側板（第１側板）、６…天板（第２側板）、７,８…内フラップ（長辺フラップ）、９,１０…外フラップ（短辺フラップ）、１１…破断開口部、１２…第１破断可能部、１３…第２破断可能部、１４…摘み片、１６…凹部、ｋ…切れ目、１７…折起し片、１９…胴部。
【図１】
0003190696.tif 000003
【図２】
0003190696.tif 000004
【図３】
0003190696.tif 000005
【図４】
0003190696.tif 000006
【図５】
0003190696.tif 000007